(57)【要約】【課題】回転伝達時の伝達トルクが大きく、相手部材間の偏心が抑制され、空転時の摩擦トルクが小さく、耐久性に優れた一方向クラッチを提供する耐久性に優れた一方向クラッチを提供する。【解決手段】保持器４０と、前記保持器４０に保持され、周方向に一定間隔に配置される複数の係合部材３０を有し、径の異なる一対の相手部材１０，２０の間で、空転、および回転の伝達を行う一方向クラッチ１であって、前記保持器４０は、軸線方向両端部に一対の円盤部４３，４５を有し、一方の前記円盤部４３は、径方向内方に縮径し、他方の前記円盤部４５は、径方向外方に拡径し、いずれか一方の前記円盤部４３の径方向端部と、一方の前記相手部材２０の間に転がり軸受５０が装着され、他方の前記円盤部４５の径方向端部は、他方の前記相手部材１０に接して相対回転不能に配置された。【選択図】図１
2015183746.tif 000002
【特許請求の範囲】
【請求項１】
保持器と、前記保持器に保持され、周方向に一定間隔に配置される複数の係合部材を有し、径の異なる一対の相手部材の間で、空転、および回転の伝達を行う一方向クラッチであって、
前記保持器は、軸線方向両端部に一対の円盤部を有し、一方の前記円盤部は、径方向内方に縮径し、他方の前記円盤部は、径方向外方に拡径し、いずれか一方の前記円盤部の径方向端部と、一方の前記相手部材の間に転がり軸受が装着され、他方の前記円盤部の径方向端部は、他方の前記相手部材に接して相対回転不能に配置されたことを特徴とする一方向クラッチ。
【請求項２】
前記転がり軸受は、複数の転動体と、複数のポケットに前記複数の転動体を保持するケージを有し、前記複数の転動体は、前記保持器の前記径方向端部と前記相手部材に接して転動することを特徴とする請求項１に記載の一方向クラッチ。
【請求項３】
前記ケージは、円周上１箇所の切割りと、前記保持器の径方向端部を挟んで前記複数のポケットの軸線方向両側に径方向に突出する２個の円環状のフランジを有することを特徴とする請求項２に記載の一方向クラッチ。
【請求項４】
前記ケージは、合成樹脂製であることを特徴とする請求項２または請求項３に記載の一方向クラッチ。
【発明の詳細な説明】
【技術分野】
【０００１】
本発明は、一方向クラッチに係り、より詳しくは、外周にカム面を持つスプラグを用いた一方向クラッチに関する。
【背景技術】
【０００２】
外周にカム面を持つスプラグを用いたスプラグ式一方向クラッチは、外周に内輪軌道を持つ内輪部材と、内周に外輪軌道を持つ外輪部材、の間に複数の前記スプラグが配置され、前記内輪部材と前記外輪部材である両相手部材の間で、一方向にのみの回転を伝達する機能を有している。前記両相手部材の間で回転を伝達する場合、前記スプラグは、前記内輪軌道および前記外輪軌道と前記カム面が噛合う方向に傾き、噛合い状態となる。
【０００３】
空転状態においては、前記スプラグは、前記内輪軌道および前記外輪軌道と前記カム面の噛合いを解除する方向に傾き、前記スプラグのカム面と、前記内輪軌道または前記外輪軌道とは、滑りを伴う状態で接触している。また、空転時においては、前記両相手部材の間に偏心が生じることがあり、この偏心によって前記内輪軌道および前記外輪軌道の間隔が小さくなる範囲に位置する、前記スプラグに、接触力が作用することがある。
【０００４】
前記両相手部材の間の偏心が大きくなると、前記内輪軌道または前記外輪軌道と前記スプラグのカム面の間の接触力が大きくなり、前記カム面の摩耗が増大し、スプラグ式一方向クラッチの耐久性は低下する。
空転状態における、前記両相手部材との間の偏心を押さえるため、円周上複数のスプラグの間に複数のブロックベアリングを配置したスプラグ式一方向クラッチがある。（特許文献１参照）
【先行技術文献】
【特許文献】
【０００５】
【特許文献１】特開平１１−６３０２９号公報
【発明の概要】
【発明が解決しようとする課題】
【０００６】
しかしながら、特許文献１に記載のスプラグ式一方向クラッチは、複数のスプラグの間に複数のブロックベアリングが配置されるため、スプラグの個数が少なく、従来のスプラグ式一方向クラッチにくらべ、回転伝達時の伝達トルクが小さい。また、前記ブロックベアリングは、前記内輪軌道または前記外輪軌道の前記スプラグとの接触面に滑りを伴って接触するため、空転時の摩擦トルクが大きく、さらに、前記内輪軌道または前記外輪軌道の損傷による、回転伝達の障害が発生することがある。
【０００７】
本発明は、このような課題を解決するためになされたものであって、回転伝達時の伝達トルクが大きく、相手部材間の偏心が抑制され、空転時の摩擦トルクが小さく、耐久性に優れた一方向クラッチを提供することを目的としている。
【課題を解決するための手段】
【０００８】
上記の課題を解決するため、請求項１に係る発明の構成上の特徴は、保持器と、前記保持器に保持され、周方向に一定間隔に配置される複数の係合部材を有し、径の異なる一対の相手部材の間で、空転、および回転の伝達を行う一方向クラッチであって、前記保持器は、軸線方向両端部に一対の円盤部を有し、一方の前記円盤部は、径方向内方に縮径し、他方の前記円盤部は、径方向外方に拡径し、いずれか一方の前記円盤部の径方向端部と、一方の前記相手部材の間に転がり軸受が装着され、他方の前記円盤部の径方向端部は、他方の前記相手部材に接して相対回転不能に配置されたことである。
【０００９】
本発明の構成によれば、空転状態において、一対の相手部材の間で偏心が生じたとき、両相手部材の間で、前記保持器の、一対の前記円盤部のうち、一方の前記円盤部の径方向端部が、前記転がり軸受を介して、一方の前記相手部材に当接し、他方の前記円盤部の径方向端部が、他方の前記相手部材に接して配置されているため、両相手部材の相対的な偏心が抑制される。この結果、偏心量の増大による、摩擦トルクの増加が抑制され、前記係合部材や、一方の前記相手部材の摩耗が減少する。
【００１０】
また、前記転がり軸受は、転がりで接触するため、前記相手部材と前記係合部材が滑り接触する従来の一方向クラッチにくらべ、空転時の摩擦トルクが小さい。さらに、前記転がり軸受は、前記相手部材の前記係合部材との接触面と離れた面で接触するため、前記相手部材の前記係合部材との接触面に損傷が生じることが無い。
【００１１】
また、前記転がり軸受は、前記相手部材の軸線方向に前記係合部材と離れた位置に配置されるため、前記係合部材の個数が制限される事がなく、回転伝達時において、大きな伝達トルクを確保することができる。
【００１２】
上記の課題を解決するため、請求項２に係る発明の構成上の特徴は、前記転がり軸受は、複数の転動体と、複数のポケットに前記複数の転動体を保持するケージを有し、前記複数の転動体は、前記保持器の前記径方向端部と前記相手部材に接して転動することである。
【００１３】
本発明の構成によれば、前記転がり軸受において、前記ケージに一体的に保持された複数の転動体は、軌道輪を介さず、前記ケージの前記径方向端部と、前記相手部材に直接接して転がるため、前記転がり軸受は非常に小型かつ、簡単な構造となる。
【００１４】
上記の課題を解決するため、請求項３に係る発明の構成上の特徴は、前記ケージは、円周上１箇所の切割りと、前記保持器の径方向端部を挟んで前記複数のポケットの軸線方向l両側に径方向に突出する２個の円環状のフランジを有することである。
【００１５】
本発明の構成によれば、前記ケージは円周上１箇所に切割りを有するため、円周方向の弾性変形が容易である。複数の転動体を一体的に保持した前記ケージを円周方向に縮径、または拡径して、前記保持器の前記径方向端部をまたぎ、前記転がり軸受の前記保持器へ組込むことが可能である。
【００１６】
さらに、前記保持器に組込まれた前記転がり軸受は、弾性によって、拡径、または縮径して、前記複数の転動体が、前記保持器の前記径方向端部に密着して、保持される。さらに、径方向に突出する２個の円環状の前記フランジが前記径方向端部を挟みこむことにより、前記転がり軸受の前記保持器からの脱落が防止され、前記転がり軸受が組込まれた前記保持器の取扱いは、非常に容易である。
【００１７】
上記の課題を解決するため、請求項４に係る発明の構成上の特徴は、前記ケージの素材は、合成樹脂製であることである。
【００１８】
本発明の構成によれば、金属性のケージにくらべ、ケージが軽量である。さらに、金属性のケージにくらべ、弾性が高く、変形し易いため、前記転がり軸受の前記保持器への組込みが容易である。
【発明の効果】
【００１９】
本発明によれば、回転伝達時の伝達トルクが大きく、相手部材間の偏心が抑制され、空転時の摩擦トルクが小さく、耐久性に優れた一方向クラッチを提供することができる。
【図面の簡単な説明】
【００２０】
【図１】本発明の実施形態の一方向クラッチの断面図である。
【図２】本発明の実施形態の一方向クラッチの側面図である。
【発明を実施するための形態】
【００２１】
この発明の実施の形態の一方向クラッチを、以下図面を参照して説明する。
【００２２】
図１は、本発明の実施形態の一方向クラッチの断面図である。
図２は本発明の実施形態の一方向クラッチの側面図であり、図１のＡ矢視である。
第１の実施形態の一方向クラッチ１は、例えば、自動車のトルクコンバータ等に組み付けられるものである。図１、図２に示すように、一方向クラッチ１は、径の異なる一対の相手部材の間に配置される、鋼材からなる係合部材としての複数のスプラグ３０と、複数のスプラグ３０を一定間隔に保持する保持器４０と、保持器４０の内周４４に装着され、転動体としての複数の円筒ころ５１を有する転がり軸受５０と、バネ部材６０と、を備えている。
【００２３】
径の異なる一対の相手部材のうち、径の小さい一方の相手部材である内輪部材２０は、外周に内輪軌道２１を有し、この内輪部材２０の外周側に配置された径の大きい他方の相手部材である外輪部材１０は、内周に外輪軌道１１を有する。
【００２４】
複数のスプラグ３０は、中間部に、くびれた部分を有する、ひょうたん形の形状で、くびれた部分より内輪部材側の外周には、カム面３１が形成されている。スプラグ３０は鋼材の引抜き加工で成型され、熱処理で硬化されたあと、バレルによって仕上げられている。
【００２５】
保持器４０は、スプラグ３０を周方向に一定間隔で保持するもので、鋼板からなる環体である。保持器４０は、円筒部４２と、円筒部４２の軸線方向両端部に一対の円盤部を有し、一方の円盤部である内円盤部４３は、一方側端部から径方向内方に、他方の円盤部である外円盤部４５は、他方側端部から径方向外方に延在している。円筒部４２の軸線方向中央には、複数のスプラグ３０を保持する複数のポケット４１が周方向一定間隔に形成されている。
【００２６】
保持器４０の内円盤部４３の径方向端部である内周４４は、複数の円筒ころ５１と接する転走面として、所定の硬さに硬化され、所定の粗さに仕上げられている。保持器４０の内周４４の直径は、転がり軸受５０に組込まれた複数の円筒ころ５１の内接円径が、内輪部材２の内輪軌道２１の直径より僅かにおおきくなるよう所定の寸法に形成されている。
保持器４０の外円盤部４５は、径方向端部である外周４６を外輪部材１０の外輪軌道１１に圧入されて、保持器４０および複数のスプラグ３０は、外輪部材１０と相対回転不能に拘束されている。
【００２７】
転がり軸受５０は、軸受鋼等の鋼材からなる転動体としての複数の円筒ころ５１と、ケージ５２とからなる。ケージ５２は、円筒ころ５１を周方向に沿って所定間隔で保持するもので、強化ポリアミド樹脂等の合成樹脂からなる環体で円周方向１箇所に切割り５６を有している。ケージ５２は、円筒部５３と、円筒部５３の軸線方向両端部から径方向外方に延びる一対のフランジ部５４と、を有している。
【００２８】
切割り５６の円周方向の幅は、ケージ５２を周方向に捩り、縮径したとき、フランジ部５４の外周が、保持器４０の内円盤部４３の内周４４を通過できる寸法に形成されている。一対のフランジ部５４の軸線方向の間隔は、保持器４０の内円盤部４３の幅よりわずかに大きい。
また、円筒部５３の軸線方向中央には、複数の円筒ころ５１を保持する四角形の複数のポケット５５が周方向等間隔に形成されている。複数のポケット５５は半径方向両端部の円周方向の幅が、円筒ころ５１の直径より小さく形成さている。複数の円筒ころ５１は、圧入によって、複数のポケット５５にそれぞれ収容され、転がり軸受５０を構成している。
【００２９】
転がり軸受５０は、ケージ５２を周方向捩って縮径し、一方の円盤部５４の外周が、保持器４０の内円盤部４３の内周４４を通過したあと、ケージ５２の弾性で拡径する。拡径した転がり軸受５０は、複数の円筒ころ５１の転動面５６が、保持器４０の内周４４に接し、両フランジ部５４が保持器４０の内円盤部４３を挟み込む状態で、保持器４０に相対回転可能に保持されている。このとき、転がり軸受５０の複数の円筒ころ５１の内接円径は内輪軌道２１の直径より僅かに大きい。
【００３０】
バネ部材６０は、保持器４０の径方向内方に配置されており、複数の舌部６１を有し、各舌部６１が、各スプラグ３０を内輪軌道２１、外輪軌道１１に対して噛合わせる方向に付勢している。
【００３１】
図１、図２に基づき、本発明の実施形態の一方向クラッチの構造の特徴について説明する。
転がり軸受５０のケージ５２は強化ポリアミド樹脂等の合成樹脂製であり、円周方向１箇所に切割り５６を有している。強化ポリアミド樹脂等の合成樹脂製は、金属製にくらべ、弾性率が高く、周方向の捩りによる縮径が容易で、保持器４０の内円盤部４３の内周４４に組込み易い。
【００３２】
さらに、ケージ５２は組込まれたあと、弾性によって拡径することにより、円筒ころ５１の転動面５６が、保持器４０の内周４４に接し、両フランジ部５４が保持器４０の内円盤部４３を挟み込む状態で、転がり軸受５０は保持器４０確実に保持されている。
又、転がり軸受５０は円筒ころ５１が専用の軌道輪を介さず、保持器４０の内周４４と、内輪軌道２１に直接接して転がるため、転がり軸受５０は非常に小型かつ、簡単な構造となっている。
【００３３】
つぎに、図１、図２に基づき、本発明の実施形態の一方向クラッチの作用について説明する。
一方向クラッチ１では、内輪部材２０が外輪部材１０に対して相対的に一方向（図２の矢印Ａ方向）に回転することにより、スプラグ３０が内輪軌道２１及び外輪軌道１１に噛合う方向に傾き、内輪部材２０と外輪部材１０の間で回転の伝達を行う、回転伝達状態となる。このとき、スプラグ３０と内輪軌道２１はカム面３２で接している。
【００３４】
内輪部材２０が外輪部材１０に対して相対的に他方向（図２の矢印Ｂ方向）に回転した場合は、内輪部材２０の回転に伴い、スプラグ３０に、内輪軌道２１及び外輪軌道１１に噛合う方向と逆方向（図２の矢印Ｃ方向）に傾く力が働き、スプラグ３０と内輪軌道２１及び外輪軌道１１との噛合いが解除されることにより、回転伝達状態から、空転状態への切替えがおこなわれる。
【００３５】
空転状態においては、バネ部材６０がスプラグ３０を内輪軌道２１及び外輪軌道１１に噛合わせる方向に押付けている。しかし、内輪部材２０の回転に伴い、スプラグ３０は、内輪軌道２１および外輪軌道１１との噛合いを解除する方向（図２の矢印Ｃ方向）に若干傾き、スプラグ３０のカム面３１が、内輪軌道２１と滑りを伴う状態で接触する。
【００３６】
また、空転状態において、外輪部材１０と内輪部材２０の間に偏心が生じることがある。この偏心によって内輪軌道２１と外輪軌道１１の間隔が小さくなる範囲が生じ、この範囲に位置する、スプラグ３０は、図２に示すように、噛合いを解除する方向（図２の矢印Ｃ方向）にさらに傾く。外輪部材１０と内輪部材２０の間の偏心が大きい場合は、カム面３１と内輪軌道２１の間には、大きな接触力を伴う滑りが生じる。
【００３７】
しかし、本発明の実施形態の一方向クラッチ１においては、保持器４０の外円盤部４５が、外輪部材１０の外輪軌道１１に圧入され、保持器４０の内円盤部４３の内周と内輪部材２０の間に、転がり軸受５０が、配置されている。転がり軸受５０の複数の円筒ころ５１の内接円径と、内輪軌道２１の間には僅かの隙間しか介在しないため、外輪部材１０と内輪部材２０の間の偏心は前記隙間より大きくなることはない。
【００３８】
また、内輪軌道２１と、転がり軸受５０の円筒ころ５１とは転がりで接触するため、内輪軌道２１とスプラグ３０が滑り接触する従来の一方向クラッチにくらべ、空転時の摩擦トルクが小さい。この結果、空転状態での摩擦抵抗による、トルクの増加、発熱、スプラグ３０の摩耗、が軽減される。
さらに、内輪軌道２１と、転がり軸受５０の円筒ころ５１とは、内輪軌道２１のスプラグとの接触面と離れた面で接触するため、内輪軌道２１のスプラグとの接触面に損傷が生じることが無い。
【００３９】
このように、本発明の実施形態の一方向クラッチは、回転伝達時の伝達トルクが大きく、相手部材間の偏心が抑制され、空転時の摩擦トルクが小さく、耐久性に優れた一方向クラッチを提供することができる。
【００４０】
本発明の実施形態では、転がり軸受５０のケージ５２は、強化ポリアミド等の樹脂製であるが、本発明の他の実施形態においては、転がり軸受５０のケージ５２は鋼板等他の素材で形成されていてもよい。
【００４１】
本発明の実施形態では、転がり軸受５０のケージ５２は、円周上１箇所の切割り５６と、軸線方向両側に径方向に突出する２個の円環状のフランジ５４を有する形状であるが、本発明の他の実施形態においては、転がり軸受５０のケージ５２は、円周上に連続した環体で、軸線方向一方側に外径方向に突出する１個の円環状のフランジ５４と、軸線方向他方側に円周上数箇所に配置され、外径方向に突出した複数の保持用爪等他の、保持手段を有する形状であってもよい。
【００４２】
前記複数の保持用爪は、転がり軸受５０を、保持器４０に保持する手段であり、前記複数の保持用爪を内径方向に収縮し、前記保持用爪を先方に、ケージ５２が、保持器４０の内周４４を、軸線方向に貫通した後、前記複数の保持用爪は径方向外方に拡張し、転がり軸受５０は保持器４０に保持される。
【００４３】
本発明の実施形態では、転がり軸受５０は、転動体として複数の円筒ころ３０を有しているが、本発明の他の実施形態においては、転がり軸受５０は、転動体として複数の玉を有していてもよい。
【００４４】
本発明の実施形態では、転がり軸受５０は転動体としての複数の円筒ころと、ケージ５２のみを有しているが、本発明の他の実施形態においては転がり軸受５０は、転動体とケージ５２に加え、前記転動体が転走する軌道輪等を有する、他の形式の転がり軸受であってもよい。
【００４５】
本発明の実施形態では、外輪部材１０と、複数のスプラグ３０を保持する保持器４０との相対回転が防止されているが、本発明の他の実施形態においては、内輪部材２０と、複数のスプラグ３０を保持する保持器４０との相対回転が防止されていてもよい。
【００４６】
本発明はこうした実施形態に何等限定されるものではなく、本発明の要旨を逸脱しない範囲において、種々なる態様で実施し得ることは当然である。
【符号の説明】
【００４７】
１          ‥  一方向クラッチ
１０        ‥  外輪部材（相手部材）
２０        ‥  内輪部材（相手部材）
３０        ‥  スプラグ（係合部材）
４０        ‥  保持器
４１、４２  ‥  円盤部
５０        ‥  転がり軸受
５１        ‥  円筒ころ（転動体）
５２        ‥  ケージ
５４        ‥  フランジ
５６        ‥  切割り
【図１】
2015183746.tif 000003
【図２】
2015183746.tif 000004